(57)【要約】【課題】半切部でシート材が押し潰されず、切込の初期から確実に切断されるリード罫刃を提供する。【解決手段】段ボール等のシート材Ｓに、その表裏に貫通する全切部と、厚さ方向の途中まで切り込まれた半切部とが交互に断続するリード罫を入れるため、全切部を入れる高刃部１１ａと、半切部を入れる低刃部１１ｂとを交互に形成したリード罫刃において、低刃部１１ｂの刃先縁に勾配を設ける。低刃部１１ｂが刃先の高い部分からシート材Ｓへ順次切り込まれるので、段ボール等のシート材Ｓが強く押圧されて潰れることがなく、シート材Ｓのブランクから製箱する際に、所定位置以外での折れ曲がりによるトラブルや、積み上げ時の胴膨れを防止することができる。【選択図】図３
2008247024.tif 000002
【特許請求の範囲】
【請求項１】
シート材に、その表裏に貫通する全切部と、厚さ方向の途中まで切り込まれた半切部とが交互に断続するリード罫を入れるため、全切部を入れる高刃部(11a)と、半切部を入れる低刃部(11b)とを交互に形成したリード罫刃において、低刃部(11b)の刃先縁に勾配を設けたことを特徴とするリード罫刃。
【請求項２】
請求項１に記載のリード罫刃において、低刃部(11b)の刃先縁を、中央部が高い凸状としたことを特徴とするリード罫刃。
【請求項３】
請求項１又は２に記載のリード罫刃において、低刃部(11b)の刃先縁を、複数個の凸部を有する形状としたことを特徴とするリード罫刃。
【発明の詳細な説明】
【技術分野】
【０００１】
この発明は、段ボール等のシート材に、全切部と半切部とが交互に断続するリード罫を入れるリード罫刃に関するものである。
【背景技術】
【０００２】
一般に、飲料缶を包装するラップラウンド式段ボール箱として、図８に示すように、稜部罫線５０を介して連設した各一対の立面板５１と平面板５２とを折り曲げ、集積した缶Ｃを包み込んで、継代片５３での接合により周壁を形成し、立面板５１及び平面板５２からそれぞれ延びる端板５４，５５を貼り合わせて封緘するものが使用されている。
【０００３】
この段ボール箱の立面板５１には、稜部罫線５０に並行する開封用引裂帯５６が端板５４にかけて設けられ、また、立面板５１の中央部には、開封時に引裂帯５６の端部を摘む切始部５７が設けられている。
【０００４】
ここで、引裂帯５６は、対向する２本の直線状切目線５６ａにより形成され、この切目線５６ａは、一般に、材料の段ボールをコルゲータで製造する際、裏側のライナを切断するライナカットにより入れられるが、切始部５７との位置ずれを防止するため、ブランクの打抜時に抜型により入れるリード罫とすることも考えられる。
【０００５】
この際、図９に示すように、刃先縁が平坦な高刃部６１ａと低刃部６１ｂとを交互に形成したリード罫刃６１を抜型に設けて、高刃部６１ａにより段ボールのシート材Ｓの表裏に貫通する全切部を、低刃部６１ｂによりシート材Ｓの裏側から厚さ方向の途中まで切り込まれた半切部をそれぞれ入れ、全切部と半切部とを交互に断続させる。
【発明の開示】
【発明が解決しようとする課題】
【０００６】
しかしながら、上記のようなリード罫刃６１を使用すると、低刃部６１ｂで段ボールが切込の初期に切断されずに押し潰され、製箱時にブランクが稜部罫線５０ではなく、切目線５６ａで折れ曲がってしまい、製箱不良が発生するおそれがある。
【０００７】
また、包装状態で複数個積み上げて、下段側の段ボール箱に上段側の段ボール箱の荷重が作用すると、立面板５１に胴膨れが生じ、陳列販売時の美観が損なわれることがある。
【０００８】
そこで、この発明は、半切部でシート材が押し潰されず、切込の初期から確実に切断されるリード罫刃を提供することを課題とする。
【課題を解決するための手段】
【０００９】
上記のような課題を解決するため、この発明は、段ボール等のシート材に、その表裏に貫通する全切部と、厚さ方向の途中まで切り込まれた半切部とが交互に断続するリード罫を入れるため、全切部を入れる高刃部と、半切部を入れる低刃部とを交互に形成したリード罫刃において、低刃部の刃先縁に勾配を設けたのである。
【発明の効果】
【００１０】
この発明に係るリード罫刃では、低刃部が刃先の高い部分からシート材へ順次切り込まれるので、段ボール等のシート材が強く押圧されて潰れることがなく、シート材のブランクから製箱する際に、所定位置以外での折れ曲がりによる製箱不良の発生を防止でき、箱の積み上げ時における胴膨れを防止することができる。
【００１１】
また、このリード罫刃で引裂帯の切目線を入れた箱の開封に際して、引裂帯をその切始部から引っ張ると、半切部に沿って全切部が繋がるように段ボールが切断され、引裂帯が途中で千切れることなく、容易に開封することができる。
【発明を実施するための最良の形態】
【００１２】
以下、この発明に係るリード罫刃で引裂帯の切目線を入れた段ボール箱の実施形態について、添付図面に基づいて説明する。
【００１３】
この段ボール箱は、飲料缶の包装に使用されるラップラウンド式のものであり、図１に示すブランクから形成される。このブランクでは、稜部罫線１を介して各一対の立面板２及び平面板３が交互に連設され、一方の立面板２に稜部罫線１を介して継代片４が連設されている。立面板２及び平面板３の両端には端板５，６がそれぞれ連設されている。
【００１４】
立面板２には、稜部罫線１に並行する開封用の引裂帯７が設けられ、引裂帯７は、端板５の端縁まで達している。立面板２の中央部には、開封時に引裂帯７の端部を摘む切始部８が設けられている。
【００１５】
ここで、立面板２における引裂帯７は、対称な２本の波状切目線７ａにより形成され、各切目線７ａは、段ボールの表裏に貫通する全切部７ｂと、段ボールが裏側から厚さ方向の途中まで切り込まれた半切部７ｃとが交互に断続し、全切部７ｂと半切部７ｃの間に切り込みのない繋部７ｄが設けられたリード罫とされている。また、切始部８は、段ボールの表裏に貫通する全切の切目８ａを変形Ｈ字状に入れることにより形成されている。
【００１６】
また、立面板２には、段ボールの表側から押圧して裏側へ膨出させることにより、稜部罫線１と直交する段目方向の胴部押圧線９が複数本間隔をあけて平行に入れられている。
【００１７】
この段ボール箱を製造するダイカッタ用の押型において、図２に示すように、ブランクのシートを裏側から打ち抜く抜型Ｄには、立面板２と平面板３の稜部罫線１を入れる直線状の押圧部材１０に並行して、引裂帯７の切目線７ａを入れる波状のリード罫刃１１を設け、これに続いて、切始部８の切目８ａを入れる全切刃１２を設ける。
【００１８】
また、打抜時にブランクのシートＳを表側から受け止める面板には、胴部押圧線９を入れる押圧部材１３を、抜型Ｄの押圧部材１０に直交する方向に設け、リード罫刃１１が押圧部材１０に最も接近する山部に対応して配置する。さらに、抜型Ｄには、押圧部材１３の先端部が遊嵌される受溝部材１４を設ける。
【００１９】
ここで、リード罫刃１１には、図３に示すように、その刃先部分において、高刃部１１ａと低刃部１１ｂとが交互に形成され、高刃部１１ａと低刃部１１ｂの間に凹部１１ｃが設けられている。また、低刃部１１ｂの刃先縁には、中央部が高い凸状となるような勾配が設けられている。
【００２０】
なお、例えば、厚さ約２ｍｍの段ボールのシートＳを打ち抜く場合、高刃部１１ａの刃高αは０．７ｍｍに、高刃部１１ａと低刃部１１ｂの上端との段差βは０．２ｍｍに、高刃部１１ａと低刃部１１ｂの下端との段差γは０．５ｍｍに設定するとよい。
【００２１】
このような押型でブランクのシートＳを打ち抜く際、図４に示すように、リード罫刃１１では、高刃部１１ａがコルク等の支持材１５で支持されたシートＳを裏側から表側へ貫通し、低刃部１１ｂがシートＳを裏側から厚さ方向の途中まで切り込み、切目線７ａの全切部７ｂと半切部７ｃとが入れられる。
【００２２】
このとき、図３に示すように、低刃部１１ｂは、刃先の高い部分からシートＳへ順次切り込まれるので、切込の初期において、シートＳが強く押圧されて潰れることがない。また、凹部１１ｃは、シートＳを切り込むことがなく、全切部７ｂと半切部７ｃの間に切り込みのない繋部７ｄが設けられる。
【００２３】
なお、低刃部１１ｂの刃先縁は、この例のように、中央部が高い凸状とすると、尖った中央部から左右へ均等に切り込まれるので、安定した切込状態が得られるが、図５（ａ）に示すように、中央部が低い凹状としたり、図５（ｂ）に示すように、一側から他側へ傾斜した形状としても、刃先の高い部分から順次切り込まれる。
【００２４】
また、図５（ｃ）に示すように、低刃部１１ｂの刃先縁を、２個の凸部を有する形状のほか、図５（ｄ）に示すように、３個の凸部を有する形状等、複数個の凸部を有する形状とすれば、切込初期に作用する抜圧が低減されるので、さらに安定して切り込むことができ、シートＳの潰れや破れが効果的に抑制される。
【００２５】
そのほか、低刃部１１ｂの刃先縁は、上記のように直線だけから成るもののほか、弧状や波状に湾曲したものとしてもよく、凹部１１ｃを省略し、切目線７ａに繋部７ｄを設けないようにしてもよい。
【００２６】
このようなリード罫刃は、ワイヤカット放電加工機により容易に製作でき、平板ダイカッタ用としてだけでなく、ロータリーダイカッタ用に製作することもできる。
【００２７】
いま、上記のような押型で打ち抜いたブランクを組み立てて飲料缶を包装する際には、ラップラウンドケーサーを用いて、図６に示すように、稜部罫線１に沿って各一対の立面板２及び平面板３を折り曲げ、集積した缶Ｃを包み込んで、継代片４での接合により周壁を形成し、端板５，６を貼り合わせて封緘する。
【００２８】
この製箱に際して、上記段ボール箱では、引裂帯７の切目線７ａにおいて、半切部７ｃの部分で段ボールが押し潰されていないことから、図７に示すように、切目線７ａはヒンジとして作用せず、立面板２が切目線７ａで内側へ折れ曲がりにくくなり、平面板３との稜部罫線１に沿って正確に折れ曲がるので、製箱不良の発生を防止することができる。
【００２９】
また、引裂帯７の切目線７ａを波状とし、半切部７ｃを段ボールの裏側から入れていることも、立面板２の切目線７ａでの折れ曲がり防止に寄与する。
【００３０】
さらに、上記段ボール箱のブランク製造時には、引裂帯７の切目線７ａと切始部８の切目８ａとを同一の抜型で入れることから、これらの位置関係がずれることがなく、従来のコルゲータでのライナカット後にダイカッタで切目８ａを入れる製造方法に比べて、不良率を大幅に低下させることができる。
【００３１】
そして、開封に際し、引裂帯７を切始部８から引っ張ると、ライナカットで切目線を入れたもののように千切れて開封不能となることなく、半切部７ｃに沿って全切部７ｂが繋がるように段ボールが切断され、容易に開封することができる。
【００３２】
このように開封した状態では、立面板２が切目線７ａに沿って不規則に破れることなく切断されて、波状の切断縁が視覚的に優美な印象を与え、美観に優れたものとなる。
【００３３】
一方、物流過程において、商品を包装した状態で複数個の段ボール箱を積み上げる際、下段側の段ボール箱には大きな荷重が作用するが、切目線７ａの半切部７ｃの部分で段ボールが押し潰されていないことや、引裂帯７が対称な２本の波状切目線７ａにより形成されていることにより、切目線７ａでの立面板２の座屈が抑制され、胴膨れが防止される。
【００３４】
さらに、立面板２に入れられた胴部押圧線９が膨出側へ折れ曲がりにくいリブとして作用するので、胴部押圧線９によっても、胴膨れが防止される。
【００３５】
なお、上記各実施形態では、段ボール箱に引裂帯として波状の切目線を入れる場合を例示したが、直線状の切目線を入れる場合にも、上記のようなリード罫刃を使用すると、半切部での座屈強度の低下を防止することができ、製箱不良の発生や積み上げ時の胴膨れを防止することができる。
【００３６】
また、段ボールだけでなく、板紙等の単紙や、ポリプロピレン等のプラスチック製シート材においても、同様のリード罫により切目線を入れることができる。
【００３７】
さらに、このリード罫刃は、上記実施形態のように、切断性を確保しつつ座屈に抗することを目的とした引裂帯の切目線に適用するだけでなく、折畳式の底組み等において、切込側と逆方向に折り曲げる罫線を入れる際にも利用することができる。
【図面の簡単な説明】
【００３８】
【図１】この発明に係るリード罫刃を使用した段ボール箱のブランクを示す裏図
【図２】同上のリード罫刃を備えた抜型の要部を示す斜視図
【図３】同上のリード罫刃による切込過程を示す概略側面図
【図４】同上のリード罫刃による切込状態を示す概略断面図
【図５】同上のリード罫刃の諸形態を示す側面図
【図６】同上の段ボール箱の組立封緘状態を示す斜視図
【図７】同上の製箱過程を示す部分斜視図
【図８】従来の切目線を入れた段ボール箱の組立封緘状態を示す斜視図
【図９】従来のリード罫刃による切込過程を示す概略側面図
【符号の説明】
【００３９】
１  稜部罫線
２  立面板
３  平面板
４  継代片
５，６  端板
７  引裂帯
７ａ  切目線
７ｂ  全切部
７ｃ  半切部
７ｄ  繋部
８  切始部
８ａ  切目
９  胴部押圧線
１０  押圧部材
１１  リード罫刃
１１ａ  高刃部
１１ｂ  低刃部
１１ｃ  凹部
１２  全切刃
１３  押圧部材
１４  受溝部材
１５  支持材
Ｄ  抜型
Ｓ  シート
【図１】
2008247024.tif 000003
【図２】
2008247024.tif 000004
【図３】
2008247024.tif 000005
【図４】
2008247024.tif 000006
【図５】
2008247024.tif 000007
【図６】
2008247024.tif 000008
【図７】
2008247024.tif 000009
【図８】
2008247024.tif 000010
【図９】
2008247024.tif 000011